(57)【要約】【課題】  再記録可能な記録媒体、記録／再生方法、記録／再生装置及びシンク検出装置を提供する。【解決手段】  ＶＦＯ信号部とデータ信号部とを有するデータ信号が記録される再記録可能な記録媒体において、ＶＦＯ信号部は、ＶＦＯ信号部の所定の位置に、ＶＦＯ信号部に使われるパターンと区別されるパターンを有するインジケータを含む記録媒体。これにより、再記録可能な媒体に発生するリンキング領域が可変的であるとしても、後続するフレームの位置を予測できるので、これを通じて、シンクパターンの復元が可能になって、システムの安定性を向上させることができる。【選択図】      図４ 
2005332566.tif 000002
【特許請求の範囲】
【請求項１】
可変周波数オシレータ（ＶＦＯ）信号部とデータ信号部とを有するデータ信号が記録される再記録可能な記録媒体において、
前記可変周波数オシレータ信号部は、前記可変周波数オシレータ信号部の所定の位置に、再生装置が前記可変周波数オシレータ信号部に使われるパターンと区別できるパターンを有するインジケータを含むことを特徴とする記録媒体。
【請求項２】
前記可変周波数オシレータ信号部は、前記インジケータを少なくとも一つ以上含むことを特徴とする請求項１に記載の記録媒体。
【請求項３】
前記少なくとも一つ以上のインジケータは、所定の間隔によって分離されることを特徴とする請求項２に記載の記録媒体。
【請求項４】
前記インジケータは、前記インジケータが検出されてから所定時間以後に、保護ウィンドウを再設定するように使われることを特徴とする請求項１に記載の記録媒体。
【請求項５】
再記録可能な記録媒体に可変周波数オシレータ信号部とデータ信号部とを有するデータ信号を記録する方法において、
前記可変周波数オシレータ信号部に使われるパターンと区別されるパターンを有するインジケータが、前記可変周波数オシレータ信号部の所定の位置に配列された前記可変周波数オシレータ信号部を、前記再記録可能な記録媒体に記録するステップを含むことを特徴とする記録方法。
【請求項６】
前記インジケータは、前記可変周波数オシレータ信号部内に所定の位置に配列された複数個のインジケータのうち何れか一つであることを特徴とする請求項５に記載の記録方法。
【請求項７】
前記少なくとも一つ以上のインジケータは、所定の間隔によって分離されることを特徴とする請求項６に記載の記録方法。
【請求項８】
再記録可能な記録媒体に記録された可変周波数オシレータ信号部とデータ信号部とを有するデータ信号を再生する方法において、
前記可変周波数オシレータ信号部から、前記可変周波数オシレータ信号部に使われるパターンと区別されるパターンを有するインジケータを検出するステップと、
前記インジケータ検出に基づいて、前記データ信号部のシンクパターンを検出及び挿入することによって、前記データ信号部をデコードするステップとを含むことを特徴とする再生方法。
【請求項９】
前記検出ステップは、
前記可変周波数オシレータ信号部から前記インジケータを少なくとも一つ以上検出することを特徴とする請求項８に記載の再生方法。
【請求項１０】
前記少なくとも一つ以上のインジケータは、所定の間隔によって分離されることを特徴とする請求項９に記載の再生方法。
【請求項１１】
前記デコードステップは、
前記インジケータが検出された時点から所定時点以後に、保護ウィンドウを再設定するステップと、
前記再設定された保護ウィンドウに基づいて、フレームシンクを検出及び挿入するステップとを含むことを特徴とする請求項８に記載の再生方法。
【請求項１２】
再記録可能な記録媒体に可変周波数オシレータ信号部とデータ信号部とを有するデータ信号を記録する装置において、
前記可変周波数オシレータ信号部に使われるパターンと区別されるパターンを有するインジケータが、前記可変周波数オシレータ信号部の所定の位置に配列された前記可変周波数オシレータ信号部を、前記再記録可能な記録媒体に記録するように制御する制御部を含むことを特徴とする記録装置。
【請求項１３】
前記インジケータは、前記可変周波数オシレータ信号部の所定の位置に少なくとも一つ以上配列されることを特徴とする請求項１２に記載の記録装置。
【請求項１４】
再記録可能な記録媒体に記録された可変周波数オシレータ信号部とデータ信号部とを有するデータ信号を再生する装置において、
前記可変周波数オシレータ信号部から、前記可変周波数オシレータ信号部に使われるパターンと区別されるパターンを有するインジケータを検出し、前記インジケータの検出に基づいて、前記データ信号部のシンクパターンを復元して前記データ信号部をデコードするデコーディング部を含むことを特徴とする再生装置。
【請求項１５】
前記デコーディング部は、
前記可変周波数オシレータ信号部から、前記インジケータを少なくとも一つ以上検出することを特徴とする請求項１４に記載の再生装置。
【請求項１６】
前記少なくとも一つ以上のインジケータは、所定の間隔によって分離されることを特徴とする請求項１４に記載の再生装置。
【請求項１７】
再記録可能な記録媒体に記録された可変周波数オシレータ信号部とデータ信号部とを有するデータ信号からシンクを検出する装置において、
前記可変周波数オシレータ信号部から、前記可変周波数オシレータ信号部に使われるパターンと区別されるパターンを有するインジケータを検出するインジケータ検出部と、
前記インジケータの検出に基づいて、前記データ信号部のシンクパターンを検出及び挿入することによって、シンクを出力するシンク出力部とを含むことを特徴とするシンク検出装置。
【請求項１８】
前記インジケータ検出部は、
前記可変周波数オシレータ信号部から前記インジケータを少なくとも一つ以上検出することを特徴とする請求項１７に記載のシンク検出装置。
【請求項１９】
前記少なくとも一つ以上のインジケータは、所定の間隔によって分離されることを特徴とする請求項１８に記載のシンク検出装置。
【請求項２０】
前記シンク出力部は、
前記インジケータが検出された時点から所定時点以後に、保護ウィンドウ再設定信号を出力する保護ウィンドウ再設定部と、
前記保護ウィンドウ再設定信号に基づいて、保護ウィンドウを再設定し、再設定された保護ウィンドウによって、フレームシンクを検出及び挿入するフレームシンク検出及び挿入部とを含むことを特徴とする請求項１７に記載のシンク検出装置。
【請求項２１】
情報記録媒体の可変リンキング領域を有する、連続するデータ領域の位置を予測する方法において、
前記データ領域に対応する可変周波数オシレータフィールドのインジケータを検出するステップを含み、
前記インジケータは、前記可変周波数オシレータフィールドに使われるパターンから、再生装置がインジケータを区別するために使われるパターンを有し、
前記データ領域は、前記情報記録媒体の前記インジケータ後に所定間隔で開始されることを特徴とする予測方法。
【請求項２２】
少なくとも一つのコンピュータを利用して、請求項５に記載の方法を行う命令語でエンコードされたコンピュータで読み取り可能な記録媒体。
【発明の詳細な説明】
【技術分野】
【０００１】
本発明は、再記録可能な記録媒体に記録されたデータ信号でフレームシンクの位置を予測してデコーディング性能を向上させる記録媒体、記録／再生方法、記録／再記録媒体、記録／再生方法、記録／再生装置及びシンク検出装置に関する。
【背景技術】
【０００２】
まず、従来の技術によって、ＲＷ系列ディスクに記録されるデータの構造を説明する。
【０００３】
図１は、従来の技術によって、ＲＷ系列ディスクに記録されるデータ構造図である。データ構造１０は、可変周波数オシレータ（ＶＦＯ）１１と、データ（Ｋ）１２と、ＰＯＳＴＡＭＢＬＥ１３と、ＲＥＳＥＲＶＥＤ１４と、ＢＵＦＦＥＲ１５と、ＶＦＯ１６と、データ（Ｋ＋１）１７とを含む。
【０００４】
ＶＦＯ１１は、データ信号フォーマットの先頭に配列され、所定のパターンが連続的に反復されて記録される部分である。このようなＶＦＯは、データ信号を再生する時、ＰＬＬ（フェーズロックドループ）のオシレーション周波数を変化させることによって、データ信号を信頼性のあるように再生できるパターンである。このようなパターンは、多くの切片のエッジ情報、すなわち、短く反復される間隔を含んでいる。これは、多くの切片のエッジ情報が、このようなパターンについてＰＬＬプルイン動作を実行し易いためである。
【０００５】
データ（Ｋ）１２は、ユーザデータが実際記録される部分であって、通常一つのＥＣＣ（Ｅｒｒｏｒ  Ｃｏｒｒｅｃｔｉｎｇ  Ｃｏｄｅ）ブロックを表す。ＰＯＳＴＡＭＢＬＥ１３と、ＲＥＳＥＲＶＥＤ１４と、ＢＵＦＦＥＲ１５とは、一つのデータ記録ブロックの端部に付着される領域である。
【０００６】
一つのＥＣＣブロックについて、ＶＦＯ１１からＢＵＦＦＥＲ１５までの領域が記録される。
【０００７】
ＶＦＯ１６は、次のＥＣＣブロックを記録するために、最初に出るデータ部分である。データ（Ｋ＋１）１７は、次のＥＣＣブロックのデータが実際記録される部分である。
【０００８】
図１に示されたデータ構造は、データ（Ｋ）とデータ（Ｋ＋１）とが連続的に記録される場合の構造を表す。以下、図２を参照して、データ（Ｋ）とデータ（Ｋ＋１）とが非連続的に記録される場合、すなわち、データ（Ｋ）が以前記録動作で記録され、データ（Ｋ＋１）は、次の記録動作で新たに記録される場合のデータ構造を説明する。
【０００９】
図２は、従来の技術によって、ＲＷ系列ディスクでデータ記録が新たに開始される時のリンキング領域を説明するための参考図である。図２（Ａ）を参照するに、データ構造２０は、ＶＦＯ２１、データ（Ｋ）２２、ＰＯＳＴＡＭＢＬＥ２３、ＲＥＳＥＲＶＥＤ２４、ＢＵＦＦＥＲ２５、ＧＵＡＲＤ２６を含む。
【００１０】
ＶＦＯ２１、データ（Ｋ）２２、ＰＯＳＴＡＭＢＬＥ２３、ＲＥＳＥＲＶＥＤ２４、ＢＵＦＦＥＲ２５は、図１を参照して説明した通りである。但し、図２（Ａ）では、以前記録でデータ（Ｋ）２２の記録で記録動作が完了し、ＢＵＦＦＥＲ２５後にＧＵＡＲＤ２６をさらに記録しておく。このような状態で、次の記録オペレーションでデータ（Ｋ＋１）を記録するためには、データ（Ｋ＋１）２８の先頭に配列されるＶＦＯ２７の最初の部分は、ＢＵＦＦＥＲ２５とＧＵＡＲＤ２６とによって形成される領域内に配列されねばならない。すなわち、ＶＦＯ２７の先頭部分ｃは、ＢＵＦＦＥＲ２５とＧＵＡＲＤ２６とによって形成される領域、すなわち、ａ及びｂによって形成される区間内で可変的に位置されねばならない。可変的に位置されねばならない理由は、ＶＦＯ２７の先頭が一定の所でのみ開始されることによって発生するディスクの劣化を防止するためである。
【００１１】
図２（Ｂ）を参照するに、ＶＦＯ２７の先頭が、ＢＵＦＦＥＲ２５が開始される時点から若干離れた地点ａから記録されたことを表す。このような場合に、リンキング領域は、ＢＵＦＦＥＲ２５とＶＦＯ２７とによって形成される領域である。
【００１２】
図２（Ｃ）を参照するに、ＶＦＯ２７の先頭が、ＧＵＡＲＤ２６の終わる地点ｂから記録されたことを表す。このような場合に、リンキング領域は、ＢＵＦＦＥＲ２５、ＧＵＡＲＤ２６、ＶＦＯ２７によって形成される領域である。
【００１３】
このように、ＶＦＯ２７の先頭が配列される位置は可変的であるため、それにより、リンキング領域の区間も一定でなく可変的になる。
【００１４】
すなわち、ＤＶＤ−ＲＡＭ（ランダムアクセスメモリ）、ＨＤ、ＤＶＤ−ＲＷでリンキングが発生した場合、リンキング領域の長さは、ディスクの集中的な劣化を防止する戦略によって、ランダム発生によって決定されるので可変的である。また、リンキング領域を構成するフィールドのパターンが何れも同一であるので、リンキング領域は、一定のパターンの反復でなり、したがって、リンキング領域を構成する各フィールドを区分できない。
【００１５】
一方、光ディスク再生装置で、ディスクから読出されたビットストリームは、復調及びエラー訂正のような過程を経て所望のデータの形態で再生されるが、このとき、フレームシンクは、ビットストリームをメモリの所定位置に保存し、エラー訂正するための同期信号として使われる。したがって、誤ったフレームシンクの検出及び挿入は、所望のデータを再生するにおいて、エラーを起こす原因となる。したがって、フレームシンクを検出し、そのフレームシンクが検出されない場合には、フレームシンクの発生位置にフレームシンクを挿入する方法が多く考案された。
【００１６】
従来の技術による一般的なフレームのシンク検出及び挿入方式は、フレームシンクの挿入数をあらかじめ決定し、入力されるビットストリームからその数ほど連続してフレームシンクが検出されなければ、保護ウィンドウを開け、無条件検出されたフレームシンクを基準として、ウィンドウを再設定する方法が使われた。例えば、フレームシンク挿入数が８個と決定されており、正常的にフレームシンクが検出されて、連続的に８個のフレームシンクが保護ウィンドウ内から検出されなければ、フレームシンクが発見されるべき各位置にフレームシンクを挿入し、ウィンドウを開けてフレームシンクを検出するが、このとき、誤フレームシンクが検出されれば、この検出されたフレームシンクを基準として、ウィンドウの位置を再設定する。これにより、その以後から正常的なフレームシンクが発生しても、入力されたフレームシンクが保護ウィンドウ内にないため、最大８フレーム間のフレームシンクを逃し、正常的なフレームシンクの検出は、再びウィンドウを開けた後、すなわち、８フレーム後に検出されるので、復調やエラー訂正のような過程を経て再生されたデータには、エラーデータが含まれる確率が高まる。そして、フレームシンク挿入数を少なく設定すれば、ウィンドウを開ける回数が多くなって、誤フレームシンクの検出される確率が高まる。また、ウィンドウを開閉する過程で検出された誤フレームシングによって、度々１フレーム分のビットストリームをメモリに保存できない場合も発生した。
【００１７】
図３は、従来の技術によって、ＲＷ系列ディスクに記録されたデータ再生時、フレームシンク検出及び復元を説明するためのタイミング図である。
【００１８】
このような従来のフレームシンク検出及び挿入の概念図を示す図３を参照するに、光ディスク再生信号がｄ地点から非正常的に出力されるので、前記ｄ地点からフレームシンクが検出されない。これにより、フレームシンクが挿入され、連続して４回間にフレームシンクが検出されない場合に、保護ウィンドウが開き、フレームシンクの検出が開始される。ここで、前記保護ウィンドウは、フレームシンクが４個挿入された場合に開く。前記保護ウィンドウが開いた場合、すなわち、ｅで、誤フレームシンクは、保護ウィンドウの外側に位置するので検出されず、４フレーム後に再びウィンドウが開いて、正常的なフレームシンクが検出されたｆ地点から正常的にフレームシンクが発生する。
【００１９】
一方、前述したような再記録可能な記録媒体に記録されるデータ構造では、リンキング領域が発生することがある。そして、このようなリンキング領域の長さは、可変的である。すなわち、デコーディングの観点では、リンキング領域の長さがどの程度まで持続されるか分からないので、これまでシステムの状態が安定し、かつフレームシンクが規則的に検出される安定した状態にあるとしても、毎回ＥＣＣ単位が終わる度に、システムの安定化状態を初期化させ、シンクパターンを検出する。これは、リンキング領域部分でのシンクパターンにエラーが発生した場合、システム安定化に基づいた内挿シンク挿入を不可能にする。結果的に、リンキング領域の長さが予測可能である場合に備えて、デコーディング性能が劣るしかない。
【発明の開示】
【発明が解決しようとする課題】
【００２０】
本発明は、前記問題点を解決して、再記録可能な記録媒体に記録されるデータ信号列で、リンキング領域の長さを予測して次のフレームの開始を予測することによって、デコーディング性能を向上させる記録媒体、記録／再生方法、記録／再生装置及びシンク検出装置を提供することを目的とする。
【課題を解決するための手段】
【００２１】
前記課題を解決するための本発明の一つの特徴は、ＶＦＯ信号部とデータ信号部とを有するデータ信号が記録される再記録可能な記録媒体において、前記ＶＦＯ信号部は、前記ＶＦＯ信号部の所定の位置に、前記ＶＦＯ信号部に使われるパターンと区別されるパターンを有するインジケータを含む。
【００２２】
前記ＶＦＯ信号部は、前記インジケータを少なくとも一つ以上含むことが望ましい。
【００２３】
本発明の他の特徴は、再記録可能な記録媒体に、ＶＦＯ信号部とデータ信号部とを有するデータ信号を記録する方法において、前記ＶＦＯ信号部に使われるパターンと区別されるパターンを有するインジケータが、前記ＶＦＯ信号部の所定の位置に配列された前記ＶＦＯ信号部を、前記再記録可能な記録媒体に記録するステップを含むことである。
【００２４】
前記インジケータは、前記ＶＦＯ信号部の所定の位置に少なくとも一つ以上配列されることが望ましい。
【００２５】
本発明のさらに他の特徴は、再記録可能な記録媒体に記録されたＶＦＯ信号部とデータ信号部とを有するデータ信号の再生方法において、前記ＶＦＯ信号部から、前記ＶＦＯ信号部に使われるパターンと区別されるパターンを有するインジケータを検出するステップと、前記インジケータ検出に基づいて、前記データ信号部のシンクパターンを検出及び挿入することによって、前記データ信号部をデコードするステップとを含むことである。
【００２６】
前記検出ステップは、前記ＶＦＯ信号部から前記インジケータを少なくとも一つ以上検出することが望ましい。
【００２７】
前記デコードステップは、前記インジケータが検出された時点から所定時点以後に保護ウィンドウを再設定するステップと、前記再設定された保護ウィンドウに基づいて、フレームシンクを検出及び挿入するステップを含むことが望ましい。
【００２８】
本発明のさらに他の特徴は、再記録可能な記録媒体にＶＦＯ信号部とデータ信号部とを有するデータ信号を記録する装置において、前記ＶＦＯ信号部に使われるパターンと区別されるパターンを有するインジケータが、前記ＶＦＯ信号部の所定の位置に配列された前記ＶＦＯ信号部を、前記再記録可能な記録媒体に記録するように制御する制御部を含むことである。
【００２９】
本発明のさらに他の特徴は、再記録可能な記録媒体に記録されたＶＦＯ信号部とデータ信号部とを有するデータ信号を再生する装置において、前記ＶＦＯ信号部から、前記ＶＦＯ信号部に使われるパターンと区別されるパターンを有するインジケータを検出し、前記インジケータ検出に基づいて、前記データ信号部のシンクパターンを復元して、前記データ信号部をデコードするデコーディング部を含むことである。
【００３０】
本発明のさらに他の特徴は、再記録可能な記録媒体に記録されたＶＦＯ信号部とデータ信号部とを有するデータ信号からシンクを検出する装置において、前記ＶＦＯ信号部から、前記ＶＦＯ信号部に使われるパターンと区別されるパターンを有するインジケータを検出するインジケータ検出部と、前記インジケータ検出に基づいて、前記データ信号部のシンクパターンを検出及び挿入することによって、シンクを出力するシンク出力部とを含むことである。
【００３１】
前記インジケータ検出部は、前記ＶＦＯ信号部から前記インジケータを少なくとも一つ以上検出することが望ましい。
【００３２】
前記シンク出力部は、前記インジケータが検出された時点から所定時点以後に、保護ウィンドウ再設定信号を出力する保護ウィンドウ再設定部と、前記保護ウィンドウ再設定信号に基づいて、保護ウィンドウを再設定し、再設定された保護ウィンドウによって、フレームシンクを検出及び挿入するフレームシンク検出及び挿入部とを含むことが望ましい。
【発明の効果】
【００３３】
本発明によれば、リンキング領域が可変的であっても、後続するデータの位置を予測できるので、これを通じて、シンクパターンの復元が可能になって、システムの安定性を向上させることができる。すなわち、フレームシンクパターンの予測位置に保護ウィンドウを作り、システムは安定しているが、シンクパターンが検出されない場合、シンクパターンが検出されると予想される位置に、内挿シンク挿入が可能になる。また、リンキング領域の可変性によって、毎回一つのＥＣＣごとにシステムの安定化性向を初期化させないことも可能である。これは、リンキング部分でのシンクパターンにエラーが発生した場合、システム安定化に基づいた内挿シンク挿入が可能になって、デコード性能が向上する。
【発明を実施するための最良の形態】
【００３４】
以下、添付された図面を参照して、本発明を詳細に説明する。
【００３５】
本発明は、ＤＶＤ−ＲＡＭ、ＨＤ、ＤＶＤ−ＲＷなどの再記録可能な記録媒体で再記録によるリンキング領域が発生した場合にも、後続するフレームの位置を予測可能にしてデコーディング性能を向上させることができる。すなわち、再記録によるリンキングが発生した場合、リンキング領域が可変的な長さを有するが、リンキング領域に含まれるＶＦＯフィールド内にＶＦＯパターンと区別されるパターンを有するインジケータを挿入して記録し、再生時に、このようなインジケータを検出することによって、後続するフレームの位置を予測可能になり、したがって、後続するフレームのフレームシンクの位置を予測できて、デコーディング性能を向上させることができる。
【００３６】
まず、本発明によって、インジケータが挿入されたデータフレーム構造を説明する。
【００３７】
図４は、本発明によって、ＶＦＯ信号部にインジケータを挿入して記録したデータフレーム構造図である。データ列は、ＶＦＯ４１、データ（Ｋ）４２、ＰＯＳＴＡＭＢＬＥ４３、ＲＥＳＥＲＶＥＤ４４、ＢＵＦＦＥＲ４５、ＶＦＯ４６、データ（Ｋ＋１）４８を含む。データ列の細部領域は、図１を参照して説明した通りであり、特に、本発明による構造は、ＶＦＯ４６の所定位置にインジケータ４７が配列されるというのに特徴がある。図４（Ａ）では、リンキング領域がＢＵＦＦＥＲ４５とＶＦＯ４６と形成される。
【００３８】
ＶＦＯ４６の所定位置でインジケータ４７を検出した後、所定時点、すなわち、Ｌほどの区間後にデータ（Ｋ＋１）４８が開始される。すなわち、リンキング領域で使われるパターンとは異なるパターンで形成されたインジケータをＶＦＯの所定位置に配列すれば、以後、デコード時、ＶＦＯからインジケータを検出することによって、所定区間、すなわち“Ｌ”以後にデータ（Ｋ＋１）が開始されることを予測できる。
【００３９】
図４（Ｂ）を参照するに、データ列は、ＶＦＯ４１、データ（Ｋ）４２、ＰＯＳＴＡＭＢＬＥ４３、ＲＥＳＥＲＶＥＤ４４、ＢＵＦＦＥＲ４５、ＶＦＯ４６、データ（Ｋ＋１）４８を含む。図４（Ａ）に示されたように、ＶＦＯ４６の所定位置にインジケータ４７が配列され、但し、図４（Ｂ）のデータ列では、ＶＦＯ４６の先頭がＢＵＦＦＥＲ４５の中間部分で開始されることが分かる。図４（Ｂ）では、リンキング領域がＢＵＦＦＥＲ４５とＶＦＯ４６とで形成される。
【００４０】
図４（Ｃ）を参照するに、データ列は、ＶＦＯ４１、データ（Ｋ）４２、ＰＯＳＴＡＭＢＬＥ４３、ＲＥＳＥＲＶＥＤ４４、ＢＵＦＦＥＲ４５、ＧＵＡＲＤ４９、ＶＦＯ４６、データ（Ｋ＋１）４８を含む。図４（Ａ）及び図４（Ｂ）に示されたように、ＶＦＯ４６の所定位置にインジケータ４７が配列され、但し、図４（Ｃ）のデータ列では、ＶＦＯ４６の先頭がＧＵＡＲＤ４９以後に開始されることが分かる。図４（Ｃ）では、リンキング領域がＢＵＦＦＥＲ４５と、ＧＵＡＲＤ４９と、ＶＦＯ４６とで形成される。
【００４１】
図４（Ａ）ないし図４（Ｃ）は、リンキング領域の位置及び区間の長さが何れも異なるが、ＶＦＯ４６の一定の位置にインジケータ４７を挿入することによって、インジケータ４７が配列された位置から所定区間、すなわち、“Ｌ”以後に、次のＥＣＣデータ、データ（Ｋ＋１）が開始される位置を予測できる。このように、リンキング領域が終了した後、次のデータブロックが開始される位置を正確に予測できるので、次のデータブロックが開始される位置でフレームシンクの検出及び復元を効率的に行える。
【００４２】
図５は、本発明によって、ＶＦＯ信号部に挿入されたインジケータを参照して、保護ウィンドウを再設定する概念を説明するためのタイミング図である。
【００４３】
図５（Ａ）は、再生信号列の検出信号を表し、図５（Ｂ）は、図５（Ａ）の再生信号列から検出されたインジケータを表し、図５（Ｃ）は、図５（Ｂ）の検出されたインジケータによって再設定される保護ウィンドウを表す。
【００４４】
図５（Ａ）を参照するに、ＥＣＣ０とＥＣＣ１との間にリンキング領域１が位置し、ＥＣＣ１とＥＣＣ２との間にリンキング領域２が位置し、ＥＣＣ２の後にリンキング領域３が位置する。各リンキング領域に含まれるＶＦＯの既定の位置には、本発明によって、ＶＦＯインジケータが配列される。したがって、ＶＦＯインジケータが検出された時点から所定時点以後に、次のフレームが開始されることが予測される。
【００４５】
すなわち、リンキング領域１に含まれるＶＦＯの既定の位置に、ＶＦＯインジケータ４７が配列され、ＶＦＯインジケータ４７が配列された位置から“Ｌ”時点以後に、ＥＣＣ１が開始される。そして、リンキング領域２に含まれるＶＦＯの既定の位置に、ＶＦＯインジケータ４７が配列され、ＶＦＯインジケータ４７が配列された位置から“Ｌ”時点以後に、ＥＣＣ２が開始される。また、リンキング領域３に含まれるＶＦＯの既定位置に、ＶＦＯインジケータ４７が配列され、ＶＦＯインジケータ４７が配列された位置から“Ｌ”時点以後に、ＥＣＣ３が開始される。このように、図５（Ａ）に示されたリンキング領域１、リンキング領域２、リンキング領域３は、何れもその区間の長さが異なるが、ＶＦＯの一定位置にＶＦＯインジケータを配置することによって、ＶＦＯインジケータが配列された位置から一定距離離れた地点で、次のフレームを探すことができる。
【００４６】
図５（Ｂ）を参照するに、前述したように、ＶＦＯのインジケータは、ＶＦＯに使われるパターンと識別される他のパターンを有するので、ＶＦＯインジケータを検出できる。
【００４７】
図５（Ｃ）を参照するに、図５（Ｂ）から検出されたインジケータを参照して、保護ウィンドウが再設定されることが分かる。すなわち、ＶＦＯインジケータ検出位置から一定距離離れた位置でフレームが開始されることが分かるので、ＶＦＯインジケータを検出した後、“Ｌ”時点以後に、保護ウィンドウを再設定すれば、次のフレームで開始されるフレームシンクを正確に検出できる。図５（Ｃ）には、リンキング領域１のＶＦＯインジケータによって保護ウィンドウ５１が再設定され、リンキング領域２のＶＦＯインジケータによって保護ウィンドウ５２が再設定され、リンキング領域３のＶＦＯインジケータによって保護ウィンドウ５３が再設定されることが表示されている。
【００４８】
図６は、本発明によって、ＶＦＯ信号部に挿入されたインジケータを参照して、フレームシンクを検出して復元する過程を説明するためのタイミング図である。
【００４９】
図６（Ａ）は、再生信号列の検出信号を表し、図６（Ｂ）は、再生信号列から検出されたインジケータを表し、図６（Ｃ）は、保護ウィンドウを表し、図６（Ｄ）は、保護ウィンドウによって出力されるシンクを表す。
【００５０】
図６（Ａ）を参照するに、再生信号列の検出信号に入っているＶＦＯ６１の一定位置にＶＦＯインジケータ４７が配列される。
【００５１】
図６（Ｂ）を参照するに、図６（Ａ）の検出信号のＶＦＯ６１から、ＶＦＯに使われるパターンとは区別されるパターンを有するインジケータを検出した位置で、インジケータ検出信号が“ハイ”（ｈｉｇｈ）６２となることが分かる。
【００５２】
図６（Ｃ）を参照するに、図６（Ｂ）でインジケータ検出信号が“ハイ”となった時点から“Ｌ”時点以後に保護ウィンドウが再設定され、再設定された保護ウィンドウ６３が配列されることが表示されている。
【００５３】
図６（Ｄ）を参照するに、再設定された保護ウィンドウ６３によって、次のフレームのフレームシンクが正確に検出されて出力される。
【００５４】
図７は、本発明による記録装置の構成の概略的なブロック図である。記録装置は、インターフェース部７１と、シンクパターン発生部７２と、ＶＦＯパターン発生部７３と、記録システムタイミング発生部７５と、選択部７６と、並列／直列コンバータ７７と、再生システムタイミング発生部７８とを含む。
【００５５】
ディスクにあらかじめ記録されたプリピットアドレスが正確に検出されれば、再生システムタイミング発生部７８は、ＩＤ検出信号を出力するように動作し、記録システムタイミング発生部７５を初期化する。記録システムは、その記録システムが所定の記録フォーマットによって記録動作を行わせるために、記録システムタイミング発生部７５によって発生した色々なタイミングによって制御される。
【００５６】
具体的に、記録システムタイミング発生部７５は、制御部（図示せず）、選択部７６、並列／直列コンバータ７７に複数のタイミング信号を供給するように動作する。
【００５７】
選択部７６は、インターフェース部７１を通じて、制御部からデータを、シンクパターン発生部７２からシンクパターンを、ＶＦＯパターン発生部７３からＶＦＯパターンを受信する。選択部７６は、タイミング発生部７５から伝送されたタイミング信号に基づいて、かかる信号のうち何れか一つを選択し、選択された信号を並列／直列コンバータ７７に供給する。
【００５８】
並列／直列コンバータ７７は、選択部７６から出力されたデータを並列／直列に変換し、変換された信号をフォーマットによる記録データとして出力する。
【００５９】
特に、本発明によって、ＶＦＯパターン発生部７３は、インジケータ挿入部７４を含む。インジケータ挿入部７４は、ＶＦＯパターン発生部７３で発生するＶＦＯパターン内に、ＶＦＯパターンとは区別されるパターンを有するインジケータをＶＦＯパターン内の所定位置に挿入する。このように、ＶＦＯパターン内の所定位置にインジケータを挿入することによって、再生装置は、ＶＦＯパターン内に配列されたインジケータを検出した後、所定時点以後に、新たなフレームが開始される位置を正確に検出できる。また、インジケータ挿入部７４は、インジケータの信頼性のある検出のために、インジケータを所定間隔で一つ以上挿入することができる。
【００６０】
図８は、本発明による再生装置の構成の概略的なブロック図である。図８に示された構成は、再生装置に含まれる全ての構成を示すものではなく、本発明によるシンク検出と関連したデコーディング部を主に示した。再生装置は、ＲＦ（無線周波数）再生部８１と、ＶＦＯ検出部８２と、ＰＬＬ回路８４と、２進回路８５と、データ抽出部８６と、シンク検出部８７とを含む。
【００６１】
再生システムは、ＶＦＯの位置を予測する目的で、エンボシング技術でディスクにあらかじめ記録されたプリピットアドレスまたはセクターマークを検出するか、またはＶＦＯの位置を指定する再生ＲＦ信号を検出し、ＶＦＯの再生ＲＦ信号の位相を引くために、ＰＬＬを活性化するように動作する。再生ＲＦ信号を検出することによって、ＶＦＯの位置が特定される。それにより、ＰＬＬは、ＶＦＯ以後のシンクを検出するために活性化される。それから、検出されたシンクパターンは、同期化パターンとして使われる。
【００６２】
ディスクから再生された再生ＲＦ信号は、ＲＦ再生部８１を通じて増幅され、かつ等化される。処理された信号は、ＶＦＯ検出部８２と２進回路８５とに供給される。
【００６３】
ＶＦＯ検出部８２は、ＶＦＯのＲＦ再生信号を検出し、検出された信号をＰＬＬ回路８４に供給する。２進回路８５は、ＲＦ再生信号をデジタル化し、それをデータ抽出部８６に供給する。ＰＬＬ回路８４は、デジタル化されたＲＦ再生信号をプルインするように動作し、ＰＬＬ回路の出力は、再生クロックとして機能する。
【００６４】
データ抽出部８６は、２進回路８５から出力されたデジタル化されたＲＦ再生信号からシンクとデータとを抽出し、それをシンク検出部８７と復調部（図示せず）とに供給する。
【００６５】
シンク検出部８７は、データ抽出部８６から供給された再生ＲＦ信号から同期を検出し、検出されたシンクを出力する。
【００６６】
特に、本発明によって、ＶＦＯ検出部８２は、インジケータ検出部８３を含む。インジケータ検出部８３は、入力されるＶＦＯパターンから、ＶＦＯパターンとは区別される他のパターンを有するインジケータを検出すれば、インジケータ検出信号をシンク検出部８７の保護ウィンドウ再設定部８８に出力する。
【００６７】
特に、本発明によって、シンク検出部８７は、保護ウィンドウ再設定部８８と、フレームシンク検出及び挿入部８９とを含む。
【００６８】
保護ウィンドウ再設定部８８は、インジケータ検出部８３からインジケータ検出信号を受信すれば、その受信された時点から所定時点以後に保護ウィンドウ再設定信号をフレームシンク検出及び挿入する。
【００６９】
フレームシンク検出及び挿入部８９は、保護ウィンドウ再設定部８８から保護ウィンドウ再設定信号を受信すれば、保護ウィンドウを再設定してフレームシンクを検出する。すなわち、再設定された保護ウィンドウが発生する時に、検出シンクが発生するか否かを判断し、保護ウィンドウが発生する時に、フレームシンクが検出されれば、その検出されたシンクをシンクとして出力し、保護ウィンドウが発生する時に、フレームシンクが検出されなければ、シンク挿入して、その挿入されたシンクを出力する。
【００７０】
図９は、本発明によるフレームシンク検出及び復元方法の過程を示すフローチャートである。まず、インジケータ検出部８３は、ＲＦ再生部８１からの再生信号のＶＦＯからインジケータを検出し（ステップ９１）、インジケータ検出信号をシンク検出部８７の保護ウィンドウ再設定部８８に出力する。
【００７１】
保護ウィンドウ再設定部８８は、インジケータ検出信号を受信すれば、インジケータが検出された時点から所定時点以後に、保護ウィンドウ再設定信号をフレームシンク検出及び挿入部８９に出力する（ステップ９２）。
【００７２】
次いで、フレームシンク検出及び挿入部は、保護ウィンドウ再設定部８８から受信された保護ウィンドウ再設定信号によって保護ウィンドウを再設定し、再設定された保護ウィンドウによって、フレームシンクを検出または挿入する（ステップ９３）。
【００７３】
次いで、検出または挿入されたフレームシンクを出力する（ステップ９４）。
【００７４】
以上、本発明について、その望ましい実施例を中心に説明した。当業者は、本発明が、本発明の本質的な特性から逸脱しない範囲で変形された形態で具現できるということが分かる。したがって、開示された実施例は、限定的な観点ではなく、説明的な観点で考慮されねばならない。本発明の範囲は、前述した説明ではなく、特許請求の範囲に表れており、それと同等な範囲内にある全ての差異点は、本発明に含まれていると解釈されねばならない。
【産業上の利用可能性】
【００７５】
本発明は、記録媒体、この記録媒体に／からデータを記録／再生する記録／再生装置に利用可能である。
【図面の簡単な説明】
【００７６】
【図１】従来の技術によって、ＲＷ系列ディスクに記録されるデータ構造図である。
【図２】従来の技術によって、ＲＷ系列ディスクでデータ記録が新たに開始される時のリンキング領域を説明するための参考図である。
【図３】従来の技術によって、ＲＷ系列ディスクに記録されたデータ再生時、フレームシンク検出及び復元を説明するためのタイミング図である。
【図４】本発明によって、ＶＦＯ信号部にインジケータを挿入して記録したデータフレーム構造図である。
【図５】本発明によって、ＶＦＯ信号部に挿入されたインジケータを参照して、保護ウィンドウを再設定する概念を説明するためのタイミング図である。
【図６】本発明によって、ＶＦＯ信号部に挿入されたインジケータを参照して、フレームシンクを検出して復元する過程を説明するためのタイミング図である。
【図７】本発明による記録装置の構成の概略的なブロック図である。
【図８】本発明による再生装置の構成の概略的なブロック図である。
【図９】本発明によるフレームシンク検出及び復元方法の過程を示すフローチャートである。
【符号の説明】
【００７７】
４１  ＶＦＯ
４２  データ(Ｋ)
４３  ＰＯＳＴＡＭＢＬＥ
４４  ＲＥＳＥＲＶＥＤ
４５  ＢＵＦＦＥＲ
４６  ＶＦＯ
４７  インジケータ
４８  データ(Ｋ＋１)
【図１】
2005332566.tif 000003
【図２】
2005332566.tif 000004
【図３】
2005332566.tif 000005
【図４】
2005332566.tif 000006
【図５】
2005332566.tif 000007
【図６】
2005332566.tif 000008
【図７】
2005332566.tif 000009
【図８】
2005332566.tif 000010
【図９】
2005332566.tif 000011